(57)【要約】【課題】ランプユニットの取り付け時にスイッチレバーが係止手段にドツキを生じて結合不良を招く虞がなく、ランプユニットの取り付けを容易且つ確実に行うことができる良好なランプユニットの取付構造を提供する。【解決手段】ルーフトリム21に設けられたランプ装着窓22に、ランプユニット23を取り付ける為のランプユニットの取付構造であって、ランプユニット23が、スイッチユニット24を有するランプ機能部分Ａと、スイッチユニット24のスイッチレバー25に係合する係合部37を備えたスイッチノブ27をスライド自在に係止する意匠部分Ｂとからなる。係合部37は、互いに対向するように先端をそれぞれスイッチノブ27のスライド方向に沿って延設した一対の可撓係止ランス38,38の先端部間に画成され、スイッチレバー25の先端25aをスイッチノブ27のスライド方向及び意匠部分Ｂの取付方向に沿って挿入可能とする係止手段を構成している。【選択図】      図１
2004203344.tif 000002
【特許請求の範囲】
【請求項１】
車体パネルを覆う内装用壁材に設けられたランプ装着窓に、ランプユニットを取り付ける為のランプユニットの取付構造であって、
前記ランプユニットが、スイッチユニットを有するランプ機能部分と、前記スイッチユニットのスイッチレバーに係合する係合部を備えたスイッチノブをスライド自在に係止する意匠部分とからなり、
前記スイッチノブの係合部が、前記スイッチレバーを前記スライド方向及び前記内装用壁材に対する前記意匠部分の取付方向に沿って挿入可能とする係止手段を備えていることを特徴とするランプユニットの取付構造。
【請求項２】
前記係止手段が、互いに対向するように先端をそれぞれ前記スライド方向に沿って延設した一対の可撓係止ランスからなることを特徴とする請求項１に記載のランプユニットの取付構造。
【発明の詳細な説明】
【０００１】
【発明の属する技術分野】
本発明は、ルームランプ等のランプユニットを、車体パネルを覆うルーフトリム等の内装用壁材のランプ装着窓に取り付けるためのランプユニットの取付構造に関する。
【０００２】
【従来の技術】
従来、ルームランプ等のランプユニットをルーフトリム等の内装用壁材に予め取り付けてルーフモジュールを形成しておき、このルーフモジュールを車体パネルに取り付けることで、ランプユニットの取付作業の効率化を図ることが行われており、このようなランプユニットの取付構造の一例として、例えば図６に示すものがある（例えば、特許文献１参照）。
【０００３】
このランプユニットの取付構造は、車体パネル（図示せず）を覆うルーフトリム（内装用壁材）１に設けられたランプ装着窓２に、ルームランプ（ランプユニット）３を取り付ける例を示したものである。
前記ルームランプ３は、スイッチユニット４を有するランプ機能部分Ａと、前記スイッチユニット４のスイッチレバー５に係合する係合部１７を備えたスイッチノブ７をスライド自在に係止するカバーレンズ８を備えた意匠部分Ｂとを備えており、該カバーレンズ８は室内側からルーフトリム１に取り付けられる。
【０００４】
前記スイッチユニット４のスイッチ回路の電線接続部（図示せず）にはＦＦＣ（フレキシブル・フラット・ケーブル）１０等の電線が接続されており、又、スイッチユニット４にはランプ機能部分Ａのバルブ１１のＯＮ・ＯＦＦ切替えが可能なスイッチ回路を断続操作する為のスイッチレバー５が設けられている。
【０００５】
前記カバーレンズ８に設けたスライド溝１３には、スイッチノブ７がスライド自在に予め係止されており、又、カバーレンズ８は、係止用突起１４をルーフトリム１の係合孔１５に係合させることにより、ランプ装着窓２を覆うように室内側からルーフトリム１に装着される。
前記スライド溝１３近傍のカバーレンズ８内面には、前記スイッチユニット４を挟持することにより、前記ランプ機能部分Ａに対するスイッチノブ７のスライド方向に沿ったカバーレンズ８の相対変位を規制する一対の規制用突起１６が突設されている。
【０００６】
前記スイッチノブ７は、スイッチレバー５の先端が係合する係合部１７を備えており、該係合部１７は、図７（ａ）に示したように、スライド溝１３の幅方向内方に向けて斜めに延設された一対の可撓アーム１８によって画成され、前記スイッチレバー５の先端をスライド方向に沿って挿入可能とする係止手段を構成している。
【０００７】
そこで、前記スイッチレバー５の先端は、対向する可撓アーム１８をそれぞれスライド方向に弾性変形させながら前記係合部１７内に進入することができる（図７（ｂ）参照）。尚、前記係合部１７内に進入した前記スイッチレバー５の先端は、対向する可撓アーム１８に係止されてスライド方向に沿って抜け出すことができない。
【０００８】
そして、ルームランプ３をルーフトリム１に取り付けてルーフモジュールを形成する際には、先ず、ランプ機能部分Ａを前記ルーフトリム１のランプ装着窓２に装着した後、カバーレンズ８の係止用突起１４をルーフトリム１の係合孔１５に係合して該カバーレンズ８をルーフトリム１のランプ装着窓２を覆うように装着する。
【０００９】
この時、スイッチレバー５の先端は、カバーレンズ８をランプ装着窓２に装着しただけでは、図７（ａ）に示したように、スイッチノブ７の係合部１７に係合していないが、装着後に該スイッチノブ７を図７（ａ）の矢印方向にスライド操作するだけで、図７（ｂ）に示したように、スイッチレバー５の先端を前記係合部１７内に進入させることができる。
【００１０】
そこで、前記カバーレンズ８は、スイッチレバー５の先端が前記係合部１７内に確実に挿入されるように、スイッチノブ７の位置を調整しながらランプ装着窓２に取付ける必要がなく、ランプ装着窓２を覆うようにカバーレンズ８をルーフトリム１に固定した後、前記カバーレンズ８に係止されたスイッチノブ７をスライド操作するだけで、前記スイッチノブ７の係合部１７が備える係止手段は、前記スイッチレバー５をスライド方向に沿って挿入可能とするので、スイッチレバー５がスイッチノブ７の係合部１７に確実に係合される。
【００１１】
そこで、取付け作業者は位置合わせをしながら前記カバーレンズ８をルーフトリム１に固定する必要がなく、組付けが容易となると共に、前記スイッチレバー５を前記スイッチノブ７の係合部１７に確実に係合させることが容易となり、組付け時の不良が防止でき、品質向上が図れる。
【００１２】
【特許文献１】
特開２００２−７９８７９号公報（第１５〜１７頁、図１９〜図２２）
【００１３】
【発明が解決しようとする課題】
しかしながら、上述した如き従来のランプユニットの取付構造の場合、前記スイッチノブ７の係合部１７が備える係止手段は、前記スイッチレバー５をスライド方向のみに沿って挿入可能とする一対の可撓アーム１８により構成されており、該可撓アーム１８は前記カバーレンズ８の取付方向に沿って撓むことができない。
【００１４】
そこで、図８に示したように、スイッチレバー５の先端とスイッチノブ７の可撓アーム１８とが取付方向に当接する位置関係にある状態で、前記カバーレンズ８を前記ランプ装着窓２に装着しようとすると、該スイッチレバー５の先端が該可撓アーム１８の上縁にドツキを生じ、カバーレンズ８が上手く装着できない結合不良を招く可能性があり、ルームランプ３の取付け作業の効率化を妨げる原因になるという問題があった。
【００１５】
従って、本発明の目的は上記課題を解消することに係り、ランプユニットの取り付け時にスイッチレバーが係止手段にドツキを生じて結合不良を招く虞がなく、ランプユニットの取り付けを容易且つ確実に行うことができる良好なランプユニットの取付構造を提供することである。
【００１６】
【課題を解決するための手段】
本発明の上記目的は、車体パネルを覆う内装用壁材に設けられたランプ装着窓に、ランプユニットを取り付ける為のランプユニットの取付構造であって、
前記ランプユニットが、スイッチユニットを有するランプ機能部分と、前記スイッチユニットのスイッチレバーに係合する係合部を備えたスイッチノブをスライド自在に係止する意匠部分とからなり、
前記スイッチノブの係合部が、前記スイッチレバーを前記スライド方向及び前記内装用壁材に対する前記意匠部分の取付方向に沿って挿入可能とする係止手段を備えていることを特徴とするランプユニットの取付構造により達成される。
【００１７】
上記構成によれば、スイッチレバーに係合するスイッチノブの係合部が備える係止手段は、前記スイッチレバーをスライド方向及び内装用壁材に対する意匠部分の取付方向に沿って挿入可能に構成されている。
そこで、ランプユニットの取付け時に、スイッチレバーとスイッチノブの係合部の係止手段とが取付方向に当接する位置関係にある場合においても、係止手段は取付方向に沿って弾性変形することができ、スイッチレバーが係止手段にドツキを生じて結合不良を招くことがない。
【００１８】
尚、好ましくは前記係止手段が、互いに対向するように先端をそれぞれ前記スライド方向に沿って延設した一対の可撓係止ランスからなることにより、簡単な構造とすることができる。
【００１９】
【発明の実施の形態】
以下、添付図面に基づいて本発明の一実施形態に係るランプユニットの取付構造を詳細に説明する。
図１は本発明の一実施形態に係るランプユニットの取付構造を説明するための分解斜視図、図２はスイッチノブの斜視図、図３及び図４はスイッチレバーの先端とスイッチノブの係合部との係合動作を説明するための要部断面図、図５は係合部の係止手段を構成する可撓係止ランスの動作を説明するための説明図である。
【００２０】
本発明の一実施形態に係るランプユニットの取付構造は、図１に示したように、車体パネル（図示せず）を覆うルーフトリム（内装用壁材）２１に設けられたランプ装着窓２２に、ルームランプ（ランプユニット）２３を取り付ける例を示したものである。
【００２１】
前記ルームランプ２３は、スイッチユニット２４を有するランプ機能部分Ａと、前記スイッチユニット２４のスイッチレバー２５に係合する係合部３７を有するスイッチノブ２７をスライド自在に係止するホルダ２８及び該ホルダ２８に嵌め込まれるカバーレンズ２９を備えた意匠部分Ｂとを備えており、該意匠部分Ｂは室内側からルーフトリム２１に取り付けられる。
【００２２】
前記スイッチユニット２４のスイッチ回路の電線接続部（図示せず）には、ＦＦＣ３０が接続されている。又、スイッチユニット２４には、ランプ機能部分Ａのバルブ（図示せず）のＯＮ・ＯＦＦ切替えが可能なスイッチ回路を断続操作する為のスイッチレバー２５が設けられている。
【００２３】
前記意匠部分Ｂのホルダ２８に設けたスライド溝３３には、スイッチノブ２７の係合部２７ａがスライド自在に予め嵌装され、この状態でホルダ２８にカバーレンズ２９が嵌め込まれる。このスイッチノブ２７の操作部２７ｂは、カバーレンズ２９の開口２９ａから室内側に突出する（図２，３、参照）。
また、前記ホルダ２８の中央部には、前記ランプ機能部分Ａが嵌挿されるハウジング嵌挿口３２が設けられている。
【００２４】
そして、前記意匠部分Ｂは、ホルダ２８の係合爪３４がルーフトリム２１に開口した係合穴２６ａに係合してルームランプ２３とルーフトリム２１とを相互に固定すると共に、固定手段３５が前記ルーフトリム２１の開口２６ｂを貫通してリームランプ２３と車体パネル（図示せず）とを相互に固定することにより、車体にガタつきなく固定される。
【００２５】
前記スイッチノブ２７は、図２に示したように、スイッチレバー２５の先端が係合する係合部３７を一側縁に備えている。
前記係合部３７は、互いに対向するように先端をそれぞれスイッチノブ２７のスライド方向に沿って延設した一対の可撓係止ランス３８，３８の先端部間に画成され、前記スイッチレバー２５の先端２５ａをスライド方向及び前記ルーフトリム２１に対する前記意匠部分Ｂの取付方向に沿って挿入可能とする係止手段を構成している。
【００２６】
そこで、前記スイッチレバー２５の先端２５ａは、前記可撓係止ランス３８を弾性変形させながらスイッチノブ２７のスライド方向及び前記ルーフトリム２１に対する前記意匠部分Ｂの取付方向に沿って前記係合部３７内に進入することができる。
尚、前記係合部３７内に進入した前記スイッチレバー２５の先端２５ａは、一対の可撓係止ランス３８，３８の先端部間に係止されてスライド方向に沿って抜け出すことができない。
【００２７】
そして、本実施形態のルームランプ２３をルーフトリム２１に取り付けてルーフモジュールを形成する際には、先ず、ランプ機能部分Ａを前記ルーフトリム２１のランプ装着窓２２に装着した後、意匠部分Ｂを構成するホルダ２８の係合爪３４をルーフトリム２１の係合孔２６ａに係合して該意匠部分Ｂをルーフトリム２１のランプ装着窓２２を覆うように装着する。
【００２８】
この時、スイッチレバー２５の先端２５ａは、意匠部分Ｂをルーフトリム２１に装着しただけでは、図３（ａ）に示したように、スイッチノブ２７の係合部３７に係合していないが、装着後に該スイッチノブ２７をスライド操作するだけで、図３（ｂ）に示したように、スイッチレバー２５の先端２５ａを一対の可撓係止ランス３８，３８の先端部間の係合部３７内に進入させることができる。
【００２９】
又、図４（ａ）に示したように、スイッチレバー２５の先端２５ａとスイッチノブ２７の可撓係止ランス３８とが取付方向に当接する位置関係にある場合においても、図５に示したように、該可撓係止ランス３８は取付方向に沿って弾性変形することができ、スイッチレバー２５が可撓係止ランス３８にドツキを生じることがない。
【００３０】
そして、意匠部分Ｂをルーフトリム２１に装着した後に、前記スイッチノブ２７をスライド操作するだけで、図４（ｂ）に示したように、スイッチレバー２５の先端２５ａを一対の可撓係止ランス３８，３８の先端部間の係合部３７内に進入させることができる。
【００３１】
そこで、前記意匠部分Ｂは、スイッチレバー２５の先端２５ａが前記係合部３７内に確実に挿入されるように、スイッチノブ２７の位置を調整しながらランプ装着窓２２に取付ける必要がなく、ランプ装着窓２２を覆うように意匠部分Ｂをルーフトリム２１に固定した後、前記意匠部分Ｂのホルダ２８にスライド自在に係止されたスイッチノブ２７を室内側からスライド操作するだけで、前記スイッチノブ２７の係合部３７が備える係止手段は、前記スイッチレバー２５をスライド方向及びルーフトリム２１に対する意匠部分Ｂの取付方向に沿って挿入可能とするので、スイッチレバー２５がどの様な位置に係止されている状態でもスイッチノブ２７の係合部３７に確実に係合される。
【００３２】
更に、スイッチレバー２５の先端２５ａとスイッチノブ２７の可撓係止ランス３８とが取付方向に当接する位置関係にある場合においても、スイッチレバー２５が可撓係止ランス３８にドツキを生じることはなく、意匠部分Ｂが上手くルーフトリム２１に装着できなかったり、スイッチレバー２５の先端２５ａが係合部３７に確実に係合されなかったりすることはない。
【００３３】
従って、取付け作業者は位置合わせをしながら前記意匠部分Ｂをルーフトリム２１に固定する必要がなく、組付け作業が容易となると共に、前記スイッチレバー２５を前記スイッチノブ２７の係合部３７に確実に係合させることが容易となり、組付け時の不良が防止でき、品質向上が図れる。
又、前記係止手段を一対の可撓係止ランス３８，３８で構成したので、該係止手段の構造を簡略化することができた。
【００３４】
尚、本発明に係るランプユニットの取付構造における車体パネル、内装用壁材、ランプユニット、係止手段及び電線等の構成は、上記実施形態の構成に限定されるものではなく、本発明の趣旨に基づいて種々の形態を採りうることは云うまでもない。
例えば、上記実施形態では、意匠部分Ｂをホルダ２８とカバーレンズ２９とで構成した場合を例に採ったが、これに限定されず、意匠部分Ｂを従来と同様にカバーレンズのみで構成して該カバーレンズにスイッチノブを係止するようにしてもよい。
【００３５】
更に、上記実施形態においては、内装用壁材であるルーフトリムに電装品であるルームランプを取り付ける場合について説明したが、ルーフトリムに取り付けるマップランプや、ドアパネル等の車体パネルを覆う内装用壁材としてのドアトリム等に、カーテシランプ等のランプユニットを取り付ける場合にも応用できる。
又、内装用壁材に配索される電線としても、上記各実施形態のＦＦＣに限らず、ＦＰＣ（フレキシブルプリント配線基板）及びリボン電線等のフラット回路体や、ワイヤーハーネス等を用いることができる。
【００３６】
【発明の効果】
以上、上述した本発明のランプユニットの取付構造によれば、スイッチレバーに係合するスイッチノブの係合部が備える係止手段は、前記スイッチレバーをスライド方向及び内装用壁材に対する意匠部分の取付方向に沿って挿入可能に構成されている。
そこで、ランプユニットの取付け時に、スイッチレバーとスイッチノブの係合部の係止手段とが取付方向に当接する位置関係にある場合においても、係止手段は取付方向に沿って弾性変形することができ、スイッチレバーが係止手段にドツキを生じて結合不良を招くことがない。
従って、ランプユニットの取り付け時にスイッチレバーが係止手段にドツキを生じて結合不良を招く虞がなく、ランプユニットの取り付けを容易且つ確実に行うことができる良好なランプユニットの取付構造を提供できる。
【図面の簡単な説明】
【図１】本発明の一実施形態に係るランプユニットの取付構造を説明するための分解斜視図である。
【図２】（ａ）はスイッチノブの表面側の斜視図であり、（ｂ）はスイッチノブの裏面側の斜視図である。
【図３】スイッチレバーの先端とスイッチノブの係合部との係合動作の例を説明するための要部断面図であり、（ａ）は係合前、（ｂ）は係合後を示す。
【図４】スイッチレバーの先端とスイッチノブの係合部との係合動作の他の例を説明するための要部断面図であり、（ａ）は係合前、（ｂ）は係合後を示す。
【図５】係合部の係止手段を構成する可撓係止ランスの動作を説明するための説明図であり、（ａ）は変形前、（ｂ）は変形後を示す。
【図６】従来のランプユニットの取付構造を説明するための分解斜視図である。
【図７】スイッチレバーの先端とスイッチノブの係合部の係止手段との係合動作を説明するための説明図であり、（ａ）は係合前、（ｂ）は係合後を示す。
【図８】取付時に、スイッチレバーの先端とスイッチノブの係合部の係止手段とが取付方向に当接している場合の不具合を説明するための説明図である。
【符号の説明】
Ａ  ランプ機能部分
Ｂ  意匠部分
２１  ルーフトリム（内装用壁材）
２２  ランプ装着窓
２３  ルームランプ（ランプユニット）
２４  スイッチユニット
２５  スイッチレバー
２７  スイッチノブ
２８  ホルダ（意匠部分）
２９  カバーレンズ（意匠部分）
３７  係合部
３８  可撓係止ランス（係止手段）
【図１】
2004203344.tif 000003
【図２】
2004203344.tif 000004
【図３】
2004203344.tif 000005
【図４】
2004203344.tif 000006
【図５】
2004203344.tif 000007
【図６】
2004203344.tif 000008
【図７】
2004203344.tif 000009
【図８】
2004203344.tif 000010